(57)【要約】【課題】  支持棒を設けた取付強度が強い壁パネル構造を提供する。【解決手段】  壁パネル１に複数の取付穴2をその底面に壁パネル１（Ｘ）が残るように設け、前面に支持棒６を嵌合するための凹部７を設けた支持棒取付部材３を取付穴２に嵌合し、支持棒取付部材３の凹部７底面から壁パネル１（Ｘ）を挟んで壁面４に釘５を通し、後端を柱状とした支持棒６を支持棒取付部材３の凹部７に嵌合して取り付けることにより、自由な位置に着脱自在な支持棒６を取り付けられ、釘５が外から見えずに外観の見栄えがよく、取付強度の強い壁パネル構造を提供できる。【選択図】図２
2006124913.tif 000002
【特許請求の範囲】
【請求項１】
壁パネルに複数の取付穴をその底面に壁パネルが残るように設け、前面に支持棒を嵌合するための凹部を設けた支持棒取付部材を取付穴に嵌合し、支持棒取付部材の凹部底面から壁パネルを挟んで壁面に釘を通して壁パネルを壁面に固定し、支持棒の後端を支持棒取付部材の凹部に嵌合して取り付けたことを特徴とする壁パネルの取付構造。
【請求項２】
支持棒の後端を略円柱状とし、支持棒の後端外周面及び支持棒取付部材の凹部内周面にねじ溝を設け、支持棒を支持棒取付部材に螺合して取り付けたことを特徴とする請求項１記載の壁パネルの取付構造。
【請求項３】
支持棒取付部材の前面外周縁に、壁パネル表面に沿うようにフランジを設けたことを特徴とする請求項１又は２に記載の壁パネルの取付構造。
【請求項４】
フランジ前面の外周の角に面取りを施したことを特徴とする請求項３記載の壁パネルの取付構造。
【発明の詳細な説明】
【技術分野】
【０００１】
本願発明は、支持棒を設けた壁パネルの取付構造に関するものである。
【背景技術】
【０００２】
従来の支持棒を設けた壁パネルの取付構造としては、図４に示す如く、支持棒６を突出させて設けた壁パネル１の両端をビス１３を用いて壁面に固定することが一般的であった。しかしながら、この壁パネルの取付構造においては、一度壁パネル１を取り付けると支持棒６の位置を変更することは困難であり、壁パネル１の両端をビス止めしただけであるので取付強度が弱く、又、ビス１３が外から見えるために見栄えが悪いという問題があった。
【０００３】
一方、照明器具を壁パネルに取り付けた壁パネルの取付構造が、特開２００１−１２８７５９号公報に開示されている。同公報によると、図５に示す如く、壁パネル１に設けられた支持棒取付部材３と支持棒６を用いて、照明器具１４を壁パネル１に取り付けるとともに壁パネル１を壁面４に固定している。その壁パネルの取付構造は、壁パネル１に複数の取付孔２’を設け、フランジ８を設けた支持棒取付部材３を取付孔２’に埋設し、釘５を支持棒取付部材３から壁面４にねじ込むことで壁パネル１を壁面４に固定し、支持棒６を支持棒取付部材３に螺合して取り付けるというものである。
【０００４】
従って、支持棒取付部材３を用い、壁パネル１を壁面４に固定するとともに、支持棒６を壁パネル１に取り付けることが可能であり、又、釘５をねじ込んだ支持棒取付部材３に支持棒６を設けることで、釘５が外から見えなくなる。
【０００５】
しかしながらこの場合、取付孔２’は壁パネル１を貫通して設けているため、それに埋設している支持棒取付部材３の深さは壁パネル１の厚さに一致しており、釘５をいくら深くねじ込んだところで壁パネル１の壁面４への取付強度は強くならない。又、支持棒取付部材３の深さを壁パネル１の厚さよりも浅くして釘５を深くねじ込み取付強度を強くしようすると、壁パネル１の取付孔２’近傍に応力が集中し、壁パネル１が変形してしまうという問題があった。
【特許文献１】特開２００１−１２８７５９号公報
【発明の開示】
【発明が解決しようとする課題】
【０００６】
本願発明は、上記背景技術に鑑みて発明されたものであり、その課題は、支持棒を設けた壁パネルにおいて、支持棒を自由な位置に配置でき、壁面への取付強度が強い壁パネルの取付構造を提供することである。
【課題を解決するための手段】
【０００７】
上記課題を解決するために、本願発明は、壁パネルに複数の取付穴をその底面に壁パネルが残るように設け、前面に支持棒を嵌合するための凹部を設けた支持棒取付部材を取付穴に嵌合し、支持棒取付部材の凹部底面から壁パネルを挟んで壁面に釘を通して壁パネルを壁面に固定し、支持棒の後端を支持棒取付部材の凹部に嵌合して取り付けた壁パネルの取付構造である。
【発明の効果】
【０００８】
本願発明の壁パネルの取付構造においては、壁パネルに支持棒取付部材を設けた取付穴を複数設けているために、自由な位置に支持棒を取り付けることができる上、支持棒を取り付けると支持棒取付部材から釘が見えなくなるために外観の見栄えがよくなる。又、壁パネルの壁面への取付構造については、取付穴を底面に壁パネルが残るように設けて、支持棒取付部材凹部底面から支持棒取付部材凹部底面に残った壁パネルを挟んで釘を通すことにより固定しているため、図５に示す従来例のように取付孔を壁パネルに貫通して設けているのに比べ、壁面に対して釘を深く挿入することで壁パネルを壁面に密着させることができ、取付強度が強くなる。
【発明を実施するための最良の形態】
【０００９】
図１及び２は、本願の請求項１〜４に対応した実施形態である壁パネルの取付構造を示している。この実施形態の壁パネルの取付構造は、壁パネル１に複数の取付穴2をその底面に壁パネル１（Ｘ）が残るように設け、前面に支持棒６を嵌合するための凹部７を設けた支持棒取付部材３を取付穴２に嵌合し、支持棒取付部材３の凹部７底面から壁パネル１（Ｘ）を挟んで壁面４に釘５を通して壁パネル１を壁面４に固定し、支持棒６の後端を支持棒取付部材３の凹部７に嵌合して取り付けている。
【００１０】
又、支持棒６の後端を略円柱状とし、支持棒６の後端外周面及び支持棒取付部材３の凹部７内周面にねじ溝を設け、支持棒６を支持棒取付部材３に螺合して取り付けている。
【００１１】
又、支持棒取付部材３の前面外周縁に、壁パネル１表面に沿うようにフランジ８を設けている。
【００１２】
又、フランジ８前面の外周の角に面取り９を施している。
【００１３】
以下、この実施形態の壁パネルの取付構造を、より具体的詳細に説明する。この実施形態の壁パネルの取付構造では、壁パネル１は木製もしくは樹脂製で、複数の取付穴２が設けられている。この取付穴２は正面視円形で、取付穴２の底面には壁パネル１（Ｘ）が残っており、壁パネル１を貫通してはいない。この取付穴２は、壁パネル１に対して上下方向及び左右方向にそれぞれ一定の間隔をあけて設けられている。壁パネル１に設けられた複数の取付穴２にはそれぞれ、支持棒取付部材３が嵌合して取り付けられている。この支持棒取付部材３は、樹脂製もしくは金属製であり、外径が取付穴２にちょうど収まる円柱状で、中央に支持棒６を取り付けるための正面視円形の凹部７が設けられている。又、支持棒取付部材３の前面外周縁にはフランジ８が突出して設けられている。フランジ８の前面側外周の角には面取り９が曲線状に施されている。なお、この面取り９は直線状でもよい。そして、釘５を支持棒取付部材３の凹部７底面から壁パネル１（Ｘ）を挟んで壁面４に打ち込んでいる。この釘５としては打ち込み釘だけではなく、螺子釘を用いてもよい。この場合、支持棒取付部材３の凹部７底面と釘５との間に座金１０を敷いており、座金１０は支持棒取付部材３の凹部７底面にちょうど収まる形になっている。支持棒取付部材３の凹部７には支持棒６の後端が嵌合して取り付けられている。
【００１４】
又、支持棒６は、木製、樹脂製もしくは金属製の円柱状で、その前端に面取りを施しており、この場合曲線状の面取りを施しているが、直線状の面取りを施してもよい。支持棒取付部材３の凹部７の内周面及び支持棒６の後端外周面にはねじ溝が設けられており、支持棒６は、支持棒取付部材３に螺合することにより嵌合されている。又、支持棒６に設けられたねじ溝は、支持棒６を支持棒取付部材３に螺合したとき、支持棒６の後端面が釘５に触れない長さとなっている。
【００１５】
従って、この実施形態の壁パネルの取付構造においては、支持棒６に帽子や上着といった衣服やかばんや手さげ袋といった小物を掛けることができる。又、壁パネル１には複数の取付穴２を設けて支持棒取付部材３を取り付けており、支持棒６と支持棒取付部材３は着脱自在に取り付けられているので、用途や使用者の身長に合わせて支持棒６を自由に配置できる。又、支持棒６を支持棒取付部材３に取り付けると、壁パネル１と壁面４を固定している釘５が外から見えなくなるために、外観の見栄えがよくなる。又、取付穴２はその底面に壁パネル１（Ｘ）を残して設け、釘５を支持棒取付部材３の凹部７底面から壁パネル１（Ｘ）を挟んで壁面４に打ち込んで壁パネル１を固定しているので、図５に示す従来例のように取付孔２’を壁パネル１に貫通して設けた場合と異なり、釘５を深く打ち込むことで壁パネル１（Ｘ）を壁面４に密着させることができ、壁パネル１の壁面４への取付強度が強くなる。又、それにより支持棒取付部材３の壁パネル１への取付強度も強くなり、支持棒６の取付強度もより強くなる。
【００１６】
又、支持棒６の後端を円柱とし、支持棒６の後端の外周面及び支持棒取付部材３の凹部７の内周面にねじ溝を設け、支持棒６を支持棒取付部材３に螺合しているため、支持棒６を支持棒取付部材３に着脱自在に取り付け、又、支持棒６の取付強度を強くする効果がある。
【００１７】
又、支持棒取付部材３にフランジ８を設けているため、支持棒取付部材３を壁パネル１に取り付ける際、フランジ８を設けないときに比べ、フランジ８でも壁パネル１を壁面４に押さえるために取付強度が強くなる。又、支持棒取付部材３の取り外しがしやすくなり、取付方向の間違いをなくすこともできる。
【００１８】
又、フランジ８の前面外周の角に面取り９を施しているため、支持棒６に衣類や小物を掛けたり取ったりする際、引っかかりを防止でき、衣類や小物を取り外しする際に傷むことを防ぐことができる。又、支持棒６の前面にも面取りを施しており、同様の効果がある。
【００１９】
なお、上記実施形態においては、支持棒６をすべての支持棒取付部材３に取付けなくてもよく、例えば四隅の取付穴２のみに支持棒６を取り付けた場合が挙げられる。残りの支持棒６を取付けていない取付穴２には、図３に示す如く、支持棒６の前端を円盤状としたキャップ１１を取り付けてもよい。このキャップ１１の前端外周の角には、支持棒取付部材３と同様、曲線状の面取り１２が施されている。なお、この面取り１２は直線状でもよい。
【００２０】
これにより、支持棒６を取り付けていない支持棒取付部材３の凹部７にキャップ１１を取り付けることで、支持棒取付部材３の凹部７底面に打ち付けた釘５が外から見えなくなり、外観の見栄えがよくなる。又、キャップ１１の前端に面取り１２を施しているため、キャップ１１に衣類や小物が引っかかることを防ぎ、これらが傷つくことを防ぐことができる。
【００２１】
又、すべての支持棒取付部材３の凹部７底面に釘５を打ち込む必要はなく、壁パネル１を壁面４に固定するために必要な取付強度や支持棒６を支持棒取付部材３に固定するために必要な取付強度が十分確保されていればよく、例えば壁パネル１の外周に設けた取付穴２のみに釘５を打ち込んだり、支持棒６を取り付ける支持棒取付部材３のみに釘５を打ち込んだものなどがある。このとき、釘５を打ち込んでいない支持棒取付部材３は、接着剤や粘着シートなどを用いて接着してもよい。
【図面の簡単な説明】
【００２２】
【図１】本願発明の実施形態である壁パネルの取付構造を示す斜視図。
【図２】同壁パネルの取付構造の要部断面図。
【図３】同壁パネルの取付構造の支持棒取付部材にキャップをしたときの要部断面図。
【図４】従来例である壁パネルの取付構造を示す斜視図。
【図５】別の従来例である照明器具を壁パネルに取り付けた壁パネルの取付構造を示す要部断面図。
【符号の説明】
【００２３】
１  壁パネル
２  取付穴
３  支持棒取付部材
４  壁面
５  釘
６  支持棒
７  凹部
８  フランジ
９  面取り
【図１】
2006124913.tif 000003
【図２】
2006124913.tif 000004
【図３】
2006124913.tif 000005
【図４】
2006124913.tif 000006
【図５】
2006124913.tif 000007
【手続補正書】
【提出日】平成16年10月26日(2004.10.26)
【手続補正１】
【補正対象書類名】明細書
【補正対象項目名】０００３
【補正方法】変更
【補正の内容】
【０００３】
一方、照明器具を壁パネルに取り付けた壁パネルの取付構造が、特開平１１−１３７４０６号公報に開示されている。同公報によると、図５に示す如く、壁パネル１に設けられた支持棒取付部材３と支持棒６を用いて、照明器具１４を壁パネル１に取り付けるとともに壁パネル１を壁面４に固定している。その壁パネルの取付構造は、壁パネル１に複数の取付孔２’を設け、フランジ８を設けた支持棒取付部材３を取付孔２’に埋設し、釘５を支持棒取付部材３から壁面４にねじ込むことで壁パネル１を壁面４に固定し、支持棒６を支持棒取付部材３に螺合して取り付けるというものである。
【手続補正２】
【補正対象書類名】明細書
【補正対象項目名】０００５
【補正方法】変更
【補正の内容】
【０００５】
しかしながらこの場合、取付孔２’は壁パネル１を貫通して設けているため、それに埋設している支持棒取付部材３の深さは壁パネル１の厚さに一致しており、釘５をいくら深くねじ込んだところで壁パネル１の壁面４への取付強度は強くならない。又、支持棒取付部材３の深さを壁パネル１の厚さよりも浅くして釘５を深くねじ込み取付強度を強くしようすると、壁パネル１の取付孔２’近傍に応力が集中し、壁パネル１が変形してしまうという問題があった。
【特許文献１】特開平１１−１３７４０６号公報